(57)【要約】【課題】メッシュラックの位置決めの自由度が高く、取付面側からのメッシュラックの固定、固定解除が容易で作業性のよいメッシュラックの支持具を提供する。【解決手段】支持具１０が天井から吊り下げられ又は壁に固着された状態で、メッシュラックＭの横筋ＭＨが嵌入され、該横筋ＭＨを保持することにより、メッシュラックＭを支持する横筋嵌入部１が形成される。【選択図】図１
2005333764.tif 000002
【特許請求の範囲】
【請求項１】
間隔をおいて長手方向に平行に延設される複数本の横筋と、前記横筋と直交し、長手方向に間隔をおいて延設される複数本の縦筋とが、格子状に組まれて構成されるメッシュラックを、該縦筋が鉛直に配置される向きで支持するためのメッシュラックの支持具であって、
天井から吊り下げられ又は壁に固着された状態で、前記横筋が嵌入され、該横筋を保持することにより、前記メッシュラックを支持する横筋嵌入部が形成されることを特徴とするメッシュラックの支持具。
【請求項２】
前記横筋嵌入部は、前記横筋の複数本がそれぞれ嵌入されて各横筋を保持することにより前記メッシュラックを支持すべく、該横筋間の間隔をおいて鉛直方向に沿って複数形成されることを特徴とする請求項１記載のメッシュラックの支持具。
【請求項３】
前記横筋嵌入部は、内側に横筋が嵌入されるフック部を備えてなり、前記フック部を隣り合う横筋同士の間に挿通した後、該横筋を下方に移動させることで該横筋を保持することを特徴とする請求項１または２に記載のメッシュラックの支持具。
【請求項４】
前記横筋嵌入部が係止する横筋が、前記縦筋に対し、前記メッシュラックの配線、配管材などを取り付ける取付面の反対側となっていることを特徴とする請求項１から３のいずれか記載のメッシュラックの支持具。
【請求項５】
前記取付面に直交しかつ鉛直となる平板を備え、前記横筋嵌入部の形状が、その平板の一辺にその足端を開口させた略Ｔ字形切り欠き形状となっており、その切り欠き形状の対向する一対の腕部孔が重力に抗して前記横筋を受止め可能なものとなっていることを特徴とする請求項１から４のいずれか記載のメッシュラックの支持具。
【請求項６】
前記横筋嵌入部の前記腕部孔と前記開口側の一辺で挟まれる部分が、前記対向側の腕部孔に先端を差し込んだ工具の先端側部で折り曲げ可能な係止維持片となっていることを特徴とする請求項５記載のメッシュラックの支持具。
【請求項７】
前記一方の腕部孔が前記横筋を受け止める深さとなっており、他方の腕部孔は、前記工具を受ける深さとなっていることを特徴とする請求項５または６記載のメッシュラックの支持具。
【請求項８】
前記横筋嵌入部の前記開口側の一辺が、前記腕部孔に係止した横筋と交叉する縦筋より前記取付面側に突出しないようになっていることを特徴とする請求項６または７に記載のメッシュラックの支持具。
【請求項９】
前記メッシュラックの支持具が略コ字形状の一定断面に形成され、その両側端に、前記横筋嵌入部を列設したことを特徴とする請求項１から８のいずれか記載のメッシュラックの支持具。
【請求項１０】
前記略コ字形状の支持具の背部に前記メッシュラックの支持具を鉛直な取付相手面に取り付けるための取付穴を設けたことを特徴とする請求項９に記載のメッシュラックの支持具。
【請求項１１】
前記略コ字形状の支持具に直角に前記横筋嵌入部を設けない不係止部分を延設し、この不係止部分の背部に前記メッシュラックの支持具を水平な取付相手面に取り付けるための取付穴を設けたことを特徴とする請求項９または１０に記載のメッシュラックの支持具。
【発明の詳細な説明】
【技術分野】
【０００１】
本発明は、線材を格子状に組み合わせて構成され、その取付面を鉛直状態にして用いられ、この取付面上の任意位置に配線や配管材を取付できるようにしたメッシュラックを、その鉛直状態が維持されるように、壁やスラブ下面から吊り下げるのに用いられるメッシュラックの支持具に関する。
【背景技術】
【０００２】
配線や配管材を壁面やスラブ下面と天井の間に配置する際に、線材を格子状に組み合わせて取付面を構成したメッシュラックは、その取付面の格子を構成する横筋、縦筋に取付具を任意位置に設置でき、この取付具によって配線や配管材を支持、取付できるので、作業性がよく、また、配線や配管材の増減、位置変更にも柔軟に対応できるので、便利がよいものである。
【０００３】
しかしながら、このメッシュラックをその使用目的に合致させて、取付面が鉛直状態となるように壁面やスラブ下面に吊り下げ支持する支持具については、これまであまり注意が払われず、その支持具へのメッシュラックへの取付固定が面倒であったり、時間がかかったりしていた。
【０００４】
例えば、特許文献１には、メッシュラックと同様に配線を位置自在に取り付けるケーブルラック用の支持金具が記載されているが、このものでは、支持金具の固定操作を配線取付側と反対側から行わねばならず、この支持金具は、ラックを壁面に取り付ける際には背後スペースがなく用いることができないものであった。また、支持金具と吊杆との固定、支持金具とラックの固定を同じねじで行うため、ラックの位置決めが難しいという問題もあった。
【特許文献１】実開昭５３−５１９９８号公報（第１図、第３図）
【発明の開示】
【発明が解決しようとする課題】
【０００５】
本発明は、上記の問題を解決するためになされたものであり、メッシュラックの位置決めの自由度が高く、取付面側からのメッシュラックの固定、固定解除が容易で作業性のよいメッシュラックの支持具を提供することを目的としている。
【課題を解決するための手段】
【０００６】
請求項１に記載のメッシュラックの支持具は、間隔をおいて長手方向に平行に延設される複数本の横筋と、前記横筋と直交し、長手方向に間隔をおいて延設される複数本の縦筋とが、格子状に組まれて構成されるメッシュラックを、該縦筋が鉛直に配置される向きで支持するためのメッシュラックの支持具であって、
天井から吊り下げられ又は壁に固着された状態で、前記横筋が嵌入され、該横筋を保持することにより、前記メッシュラックを支持する横筋嵌入部が形成されることを特徴とする。
【０００７】
なお、ここでいう、メッシュラックは、一般には、配線や配管材を取り付ける取付面が水平状態で用いられるものであるが、本発明の支持具は、そのメッシュラック自体はそのままで、その取付面が鉛直状態になるように支持可能としたものである。
【０００８】
したがって、このメッシュラック自体の形状は、取付面が水平状態を基本として観念され、その場合に全体として長方形形状であって、上記に言う長手方向とは、その長方形形状の長手方向をいい、この長手方向に直交する方向を幅方向という。したがって、上記横筋の間隔とは、この幅方向の間隔であり、また、上記縦筋が延設される方向はこの幅方向をいう。また、使用状態では、この幅方向は鉛直方向となり、縦方向あるいは高さ方向ともなるものである。
【０００９】
請求項２に記載のメッシュラックの支持具は、請求項１に従属し、前記横筋嵌入部は、前記横筋の複数本がそれぞれ嵌入されて各横筋を保持することにより前記メッシュラックを支持すべく、該横筋間の間隔をおいて鉛直方向に沿って複数形成されることを特徴とする。
【００１０】
請求項３に記載のメッシュラックの支持具は、請求項１または２に従属し、前記横筋嵌入部は、内側に横筋が嵌入されるフック部を備えてなり、前記フック部を隣り合う横筋同士の間に挿通した後、該横筋を下方に移動させることで該横筋を保持することを特徴とする。
【００１１】
請求項４に記載のメッシュラックの支持具は、請求項１から３のいずれかに従属し、前記横筋嵌入部が係止する横筋が、前記縦筋に対し、前記メッシュラックの配線、配管材などを取り付ける取付面の反対側となっていることを特徴とする。
【００１２】
請求項５に記載のメッシュラックの支持具は、請求項１から４のいずれかに従属し、前記取付面に直交しかつ鉛直となる平板を備え、前記横筋嵌入部の形状が、その平板の一辺にその足端を開口させた略Ｔ字形切り欠き形状となっており、その切り欠き形状の対向する一対の腕部孔が重力に抗して前記横筋を受止め可能なものとなっていることを特徴とする。
【００１３】
請求項６に記載のメッシュラックの支持具は、請求項５に従属し、前記横筋嵌入部の前記腕部孔と前記開口側の一辺で挟まれる部分が、前記対向側の腕部孔に先端を差し込んだ工具の先端側部で折り曲げ可能な係止維持片となっていることを特徴とする。
【００１４】
請求項７に記載のメッシュラックの支持具は、請求項５または６に従属し、前記一方の腕部孔が前記横筋を受け止める深さとなっており、他方の腕部孔は、前記工具を受ける深さとなっていることを特徴とする。
【００１５】
請求項８に記載のメッシュラックの支持具は、請求項６または７に従属し、前記横筋嵌入部の前記開口側の一辺が、前記腕部孔に係止した横筋と交叉する縦筋より前記取付面側に突出しないようになっていることを特徴とする。
【００１６】
請求項９に記載のメッシュラックの支持具は、請求項１から８のいずれかに従属し、前記メッシュラックの支持具が略コ字形状の一定断面に形成され、その両側端に、前記横筋嵌入部を列設したことを特徴とする。
【００１７】
請求項１０に記載のメッシュラックの支持具は、請求項９に従属し、前記略コ字形状の支持具の背部に前記メッシュラックの支持具を鉛直な取付相手面に取り付けるための取付穴を設けたことを特徴とする。
【００１８】
請求項１１に記載のメッシュラックの支持具は、請求項９または１０に従属し、前記略コ字形状の支持具に直角に前記横筋嵌入部を設けない不係止部分を延設し、この不係止部分の背部に前記メッシュラックの支持具を水平な取付相手面に取り付けるための取付穴を設けたことを特徴とする。
【発明の効果】
【００１９】
請求項１に記載のメッシュラックの支持具によれば、この支持具が天井から吊り下げられ又は壁に固着された状態で、メッシュラックの横筋が嵌入され、該横筋を保持することにより、前記メッシュラックを支持する横筋嵌入部が形成されるので、メッシュラックをその取付面側から、支持具に取り付けることができ、支持具後方スペースのない壁面などへの設置にも用いることができる。
【００２０】
請求項２に記載のメッシュラックの支持具によれば、請求項１の効果に加え、前記横筋嵌入部は、前記横筋の複数本がそれぞれ嵌入されて各横筋を保持することにより前記メッシュラックを支持すべく、該横筋間の間隔をおいて鉛直方向に沿って複数形成されるので、より確実にメッシュラックを支持することができる。
【００２１】
請求項３に記載のメッシュラックの支持具によれば、請求項１または２の効果に加え、前記横筋嵌入部は、内側に横筋が嵌入されるフック部を備えてなり、前記フック部を隣り合う横筋同士の間に挿通した後、該横筋を下方に移動させることで該横筋を保持するので、特に別個の工具を用いることなく、メッシュラックの横筋を支持でき、設置の位置決めが容易となる。
【００２２】
請求項４に記載のメッシュラックの支持具によれば、請求項１から３のいずれかの効果に加え、横筋嵌入部が係止する横筋が、縦筋に対し反取付面側となっているので、この縦筋の分だけ横筋嵌入部がラックの取付面に対し後退し、邪魔になりにくい。
【００２３】
請求項５に記載のメッシュラックの支持具によれば、請求項１から４のいずれかの効果に加え、前記取付面に直交しかつ鉛直となる平板を備え、横筋嵌入部の形状が、その平板の一辺にその足端を開口させた略Ｔ字形切り欠き形状となっており、その切り欠き形状の対向する一対の腕部孔が重力に抗して前記横筋を受止め可能なものとなっているおり、この腕部孔にメッシュラックを一時ひっかけできるので、メッシュラックの位置決めが容易で位置決めの自由度が高い。
【００２４】
請求項６に記載のメッシュラックの支持具によれば、請求項５の効果に加え、腕部孔と開口側の一辺で挟まれる部分が、対向側の腕部孔に先端を差し込んだ工具の先端側部で折り曲げ可能な係止維持片となっているので、メッシュラックが腕部孔受でけ止められた後、メッシュラックの取付面側から、係止維持片で、簡単にその係止状態を維持し、ラックが支持具から容易にハズレないようにでき、また、逆に取り外すときも、簡単に係止維持状態を開放できる。
【００２５】
請求項７に記載のメッシュラックの支持具によれば、請求項５または６の効果に加え、腕部孔の一方だけが前記横筋を受け止めるのに十分な深さとなっており、他方の腕部孔は、前記工具を受ける工具受けとしてのみ機能する深さとなっているので、それぞれの部分がよりその機能をよりよく発揮することができる。
【００２６】
請求項８に記載のメッシュラックの支持具によれば、請求項６または７の効果に加え、横筋嵌入部の前記開口側の一辺が、前記腕部孔に係止した横筋と交叉する縦筋より前記取付面側に突出しないようになっているので、支持具がメッシュラックの取付面側に突出せず、この取付面への配線などの取付に邪魔にならない。
【００２７】
請求項９に記載のメッシュラックの支持具によれば、請求項１から８のいずれかの効果に加え、メッシュラックの支持具が略コ字形状の一定断面に形成され、その両側端に、前記横筋嵌入部を列設したので、横筋嵌入部が一組でラックを受けることになり、より確実にラックを吊り下げることができる。
【００２８】
請求項１０に記載のメッシュラックの支持具によれば、請求項９の効果に加え、支持具の背部にメッシュラックの支持具を鉛直な取付相手面に取り付けるための取付穴を設けたので、壁などに取付ができる。
【００２９】
請求項１１に記載のメッシュラックの支持具によれば、請求項９または１０の効果に加え、前記支持具に直角に前記横筋嵌入部を設けない不係止部分を延設し、この不係止部分の背部に前記メッシュラックの支持具を水平な取付相手面に取り付けるための取付穴を設けたので、スラブ下面などに取付ができる。
【発明を実施するための最良の形態】
【００３０】
以下に、本発明の実施の形態（実施例）について、図面を用いて説明する。
【実施例１】
【００３１】
図１（ａ）は本発明のメッシュラックの支持具の一例を示す上面図、（ｂ）は側面図、（ｃ）は正面図、図２（ａ）〜（ｉ）は、図１のメッシュラックの支持具へのメッシュラックの取り付け、取り外し方法を説明する要部詳細図、図３は、図１のメッシュラックの支持具によって鉛直状態に吊り下げられたメッシュラックの使用状態を示す斜視図である。
【００３２】
このメッシュラックの支持具１０は、線材を格子状に組み合わせて構成され、その取付面ＭＡ（図１（ｂ）において太い二点鎖線で表示。）を鉛直状態にして用いられ、この取付面ＭＡ上の任意位置に配線や配管材を取付できるようにしたメッシュラックＭを、図１（ｂ）に図示するように、その鉛直状態が維持されるように、壁やスラブ下面から吊り下げるのに用いられる。この例では、メッシュラックＭを吊り下げた支持具１０は、上屋あるいは上階の最下部となるスラブ下面から下垂した懸下ボルトＢＴにダブルナットＮで懸下状態で固定されている。
【００３３】
支持具１０は、メッシュラックＭを取り付けるための横筋嵌入部１、この横筋嵌入部１をその両側端２ａに列設した略コ字形状のチャンネル２、懸下ボルトＢＴなどによって、この支持具１０を壁などの鉛直なあるいはスラブ下面などの水平な取付相手面に取り付けるための取付穴３、チェンネル２の一端に直角方向に延設され、横筋嵌入部１が設けられていない不係止部分４とを備えている。
【００３４】
なお、ここでいうチャンネルとは、略コ字形状の一定断面に形成されたものをいい、それ自体が支持具を構成するものでもある。
【００３５】
横筋嵌入部１については、図２において後に詳しく説明する。略コ字形状のチャンネル２は平板を横断面が略コ字形状となるように屈曲形成されたもので、その両側端２ａをつなぐ背部分を背部２ｂと称する。
【００３６】
不係止部分４もチャンネル２と同じ横断面で、この例では、不係止部分４とチャンネル２とは全体として直線状であったものを、横筋嵌入部１などの加工を済ませたのち、直角に曲げ加工して形成されているが、これに限らず、不係止部分４とチャンネル２とを別々に製作したのち溶接などの方法で結合する方法であってもよい。
【００３７】
取付穴３は、チャンネル２の背部２ｂと不係止部分４の背部４ｂに設けられているので、この例のように水平な取付相手面には、不係止部分４の背部４ｂの取付穴３で、壁などの鉛直な取付相手面には、チャンネル２の背部２ｂの取付穴３を使うことができる。この例では、スラブ下面など水平な取付相手面用なので、チャンネル２の背部２ｂの取付穴３は設けないようにしてもよい。
【００３８】
メッシュラックＭは、その格子を構成し、使用状態では水平となる横筋ＭＨと、この横筋ＭＨと直交する縦筋ＭＶとを備え、この縦筋ＭＶの反横筋ＭＨ側が配線や配管材を取付けする取付面ＭＡとなっている。つまり、横筋ＭＨは、逆に縦筋ＭＶに対して反取付面ＭＡ側に直交しており、この両者の交叉部分で相互に溶接などの方法で結合されている。
【００３９】
つまり、換言すれば、このメッシュラックＭは、幅方向に間隔をおいて長手方向に平行に延設される複数本の横筋ＭＨと、この横筋ＭＨと直交し、長手方向に間隔をおいて幅方向に延設される複数本の縦筋ＭＶとが、格子状に組まれて構成されている。
【００４０】
なお、ここでいう、メッシュラックＭは、一般には、そのメッシュラックＭに配線や配管材を取り付ける取付面ＭＡが水平状態で用いられるものであるが、本発明の支持具１０は、そのメッシュラックＭ自体はそのままで、その取付面ＭＡが鉛直状態になるように支持可能としたものである。
【００４１】
横筋嵌入部１は、以下詳しく説明するように、この線材で構成された横筋ＭＨを重力に逆らって受け止める形状となっており、また、その受け止め状態を簡単な現場の手作業で維持し、また、開放することができるようになっている。
【００４２】
また、この横筋嵌入部１は、横筋ＭＨの複数本がそれぞれ嵌入されて各横筋ＭＨを保持することによりメッシュラックＭを支持すべく、該横筋ＭＨ間の間隔をおいて鉛直方向に沿って複数形成されており、メッシュラックＭの支持を確実なものにしている。
【００４３】
これより図２を用いて、本発明の核心である横筋嵌入部１の形状、作用効果について詳しく説明する。
【００４４】
図２（ａ）は、メッシュラックＭを横筋嵌入部１に係合させる直前の状態を、その横筋嵌入部１直近の側方から見た所を示している。以下の図２（ｂ）〜（ｉ）も同様の所から見た図である。
【００４５】
横筋嵌入部１は、その平面部分がメッシュラックＭの取付面ＭＡに直交しなおかつ鉛直となる平板の一辺１ａにその足端１ｂを開口させた略Ｔ字形切り欠き形状となっており、その切り欠き形状の対向する一対の腕部孔１ｃが重力に抗して横筋ＭＨを受止め可能なものとなっている。また、この腕部穴１ｃと上記の平板の一辺１ａ（これは「開口側の一辺」ともなる。）に挟まれた部分は余肉部１ｄと称される。
【００４６】
この例では、重力の方向（図２において下方）に対して上方の腕部孔１ｃ、余肉部１ｄが下方の腕部孔１ｃ、余肉部１ｄに比べて、短寸（重力方向の長さが小さい）となっており、上下の腕部孔１ｃ、余肉部１ｄで役割分担をしている。
【００４７】
つまり、下方の腕部孔１ｃ、余肉部１ｄはメッシュラックＭの横筋ＭＨを受ける側であるので、この腕部孔１ｃは、横筋Ｈを受け止める深さとなっており、その機能からラック受け１ｅ、余肉部１ｄはその機能から係止維持片１ｇとも称される。また、このラック受け１ｅと係止維持片１ｇとを合わせてその総合的機能と形状によりフック部１ｅｇとも称する。
【００４８】
これに対応して、上方の腕部孔１ｃ、余肉部１ｄはメッシュラックＭの横筋ＭＨを係止維持させるための工具を受ける側であり、この腕部孔１ｃは、工具を受ける深さとなっており、その機能から工具受け１ｅ、余肉部１ｄはその機能から工具当り片１ｇとも称される。
【００４９】
なお、後に変形例として図５（ａ）で説明するように、このように上下の役割を区別しない場合もある。
【００５０】
さて、メッシュラックＭをメッシュラックの支持具１０に吊り下げる場合には、まず、図２（ａ）で示すように、ラックＭの横筋ＭＨが支持具１０のそれぞれの横筋嵌入部１の開口部である足端１ｂに合うように位置させて、ラックＭを白矢印のように動かす。
【００５１】
換言すれば、フック部１ｅｇを隣り合う横筋ＭＨ同士の間に挿通した後、該横筋ＭＨを下方に移動させることで該横筋ＭＨを保持するようにする。
【００５２】
すると、図２（ｂ）のような状態で、ラックＭは横筋嵌入部１のラック受け１ｅに一時的に受け止められる。図２（ｂ）で解るように、ラック受け１ｅは重力に抗してラックＭを横筋ＭＨ部分で受け止めているので、ラックＭは落下することがなく、その受け止め状態を維持する。
【００５３】
この状態で、ラックＭの位置が悪ければ、そのままで、ラックＭの格子の横幅の範囲内では水平移動が可能である。それ以上に水平位置調整、また、鉛直位置を調整したい場合には、横筋ＭＨの横筋嵌入部１への掛け替えが必要であるが、それは、図２（ａ）の白矢印の逆動作だけで可能であるので簡単で、ラックＭの位置決めの自由度が高い。これを、ラックＭの位置が好適な位置となるまで繰り返す。
【００５４】
このように、この横筋嵌入部１は、そのラック受け（腕部孔）１ｃ換言すればフック部１ｅｇがメッシュラックＭの横筋ＭＨを重力に抗して受け止め可能となっているので、ラックＭの位置決めが容易である。また、一旦、ラックＭを横筋嵌入部１に受け止めさせた後は、作業者は、ラックＭから完全に手を離すことができ、作業性が良い。
【００５５】
また、このようなことが可能であるのは、メッシュラックＭが線材を格子状に組み合わせて構成され、その横筋ＭＨ、縦筋ＭＶ間に十分な格子空間があり、横筋ＭＨ、縦筋ＭＶが所定間隔を保って形成されている、また、横筋ＭＨが反取付面ＭＡ側となって、使用状態において水平方向に伸びているというメッシュラックＭの特性を、その取付面ＭＡの反対側に直交する方向から横筋ＭＨの一部だけに係止するような肉厚に構成された横筋嵌入部１によって、巧みに利用しているからである。
【００５６】
次に、位置決めができた後にラックＭが横筋嵌入部１から容易に抜け落ちないようにするには、図２（ｃ）に示すように、横筋嵌入部１の工具受け１ｆにマイナスドライバなど作業員が通常電気配線工事をする際に携帯しているような工具Ｔの先端を差し込み、その先端側部が横筋嵌入部１の係止維持片１ｇに、その反対側が工具当り片１ｈにそれぞれ当接するようにし、この工具Ｔに白矢印方向の力を掛ける。
【００５７】
すると、この係止維持片１ｇは、この程度の力で塑性変形可能なものとなっており、図２（ｄ）のように屈曲し、その状態は、工具Ｔを取り去っても維持され、この係止維持片１ｇが、ラック受け１ｅに受け止められたラックＭの横筋ＫＨが容易に抜け出さないように係止維持する。その状態が図２（ｅ）に示す状態であり、これが吊り下げ完了したラックＭの使用状態である。
【００５８】
この使用状態で、注目したいのは、図２（ｅ）で解るように、横筋嵌入部１の開口側の一辺１ａが横筋嵌入部１に係止維持された横筋ＭＮに交叉する縦筋ＭＶより取付面ＭＡ側に突出しないようになっていることである。つまり、余肉部１ｄの厚さが縦筋ＭＶの直径より小さくなっていることである。
【００５９】
このように横筋嵌入部１を構成すると、メッシュラックの支持具１０にラックＭを吊り下げた状態で、ラックＭの取付面ＭＡにはなんらその取付面ＭＡへの配線や、配管具などの取付に支障となるような突起物がないこととなり、ラックＭの機能を損なわない。
【００６０】
なお、上記のように余肉部１ｄの厚さについて特に考慮をしない場合であっても、横筋嵌入部１が係止する横筋ＭＨが、縦筋ＭＶに対し反取付面側となっているので、この縦筋ＭＶの分だけ横筋嵌入部１がラックＭの取付面ＭＡに対し後退し、邪魔になりにくいという効果がある。
【００６１】
ラックＭの係止維持を解除して、ラックＭの位置変更をしたり、ラックＭを取り去りたい場合には、次のような手順となる。
【００６２】
まず、図２（ｆ）に示すように、工具Ｔの先端を横筋嵌入部１のラック受け１ｅに差し込み、その工具Ｔの先端側部が横筋嵌入部１の係止維持片１ｇの屈曲側に、その反対側が工具当り片１ｈにそれぞれ当接するようにし、図の白矢印方向の力を掛ける。
【００６３】
すると、この係止維持片１ｇは、この程度の力で塑性変形可能なものとなっており、図２（ｇ）のように屈曲して元通りとなり、その状態は、工具Ｔを取り去っても維持され、ラックＭの横筋ＭＨがラック受け１ｅに受け止められ、かつ取り出し可能な状態（図２（ｈ）。図２（ｂ）と同じ状態）となる。
【００６４】
その後、図２（ｉ）に示すように白矢印方向にラックＭを動かせば、ラックＭを支持具１０から取り外すことができる。
【００６５】
また、上記の説明から解るように、この支持具１０によれば、横筋嵌入部１へのラックＭの取り付け、係止維持、その維持解除、取り外しが取付面ＭＡだけからできるので、支持具１０に背後スペースがない場合でも、十分に、メッシュラックＭの取り付けなどが可能である。また、その係止維持、係止解除も、作業員の通常携帯工具による一つの方向の動作だけで可能であり、便利であり、短時間でできる。
【００６６】
更に、横筋嵌入部１が左右二列セットで設けられ、左右一組でラックＭを受けることになり、より確実にラックを吊り下げ支持することができる。
【００６７】
このメッシュラックの支持具１０の用いられ方は、図３に示す通りである。天井上のスラブ下面に下垂している懸下ボルトＢＴに支持具１０が固定され、その支持具１０にメッシュラックＭが吊り下げられている。
【００６８】
このメッシュラックＭは、その使用状態では、取付面ＭＡ（図１参照）が鉛直状態となり、その状態で、上下方向の長さに比べ、左右方向の長さが長くなっている。これは、天井上部の上下に限られた空間で水平方向に配線などを架設するためである。この図では、支持具１０はその左右に長いメッシュラックＭの一端付近を吊り下げており、他端付近、あるいは長さに応じて中間部などでも同じ支持具１０で吊り下げられるものである。
【００６９】
このようにして取付面ＭＡが鉛直状態で吊り下げられたメッシュラックＭには、必要に応じて、横筋ＭＨに電線支持具ＭＢがワンタッチで取付可能となっており、その電線支持具ＭＢで電線Ｅが垂れないように受けている。
【００７０】
また、このメッシュラックＭでは、使用状態で上下となる部分の縦筋ＭＶが取付面ＭＡ側に直角に折れ曲がってガイド部ＭＥとなっており、このガイド部ＭＥに電線支持送り具ＭＣがワンタッチ取付可能となっている。電線支持送り具ＭＣの電線Ｅ接触側には送りコロＭａが設けられ、この上に架設すべき電線Ｅが載ると、送りコロＭａが転がって、小さな力で電線Ｅを目的長さまで送ることができ、その後に、白矢印で示すように、電線Ｅを目的の位置まで持ち上げるようになっている。
【００７１】
本発明のメッシュラックの支持具１０は、この図でも解るように、メッシュラックＭを吊り下げた状態で取付面ＭＡへの突起がないので、このラックＭに取り付ける配線や配管材の取り付けの支障とならない。また、横筋嵌入部１自体がラックＭの格子間隔に比べて、十分に小さいので、横筋嵌入部１がラックＭの横筋ＭＨを占有する部分が小さく、電線支持具ＭＢを取り付ける位置の選択範囲をあまり狭めない。
【００７２】
この実施例１は主に請求項１〜３、６〜８、１０の特徴を好適に実現するものである。
【実施例２】
【００７３】
図４（ａ）は本発明のメッシュラックの支持具の他例を示す上面図、（ｂ）は側面図、（ｃ）の正面図である。これより、すでに説明した部分と同じ部分には同じ符号を付して重複説明を省略する。
【００７４】
このメッシュラックの支持具１０Ａは、図１の支持具１０に比べ、不係止部分４がなく、真っ直ぐなチャンネル２だけで構成されている点が異なっている。取付穴３もこのチャンネル２の背部２ｂだけに設けられている。
【００７５】
この支持具１０Ａは、取付相手面が鉛直な面である点だけが、異なるだけで、その他の構成は、支持具１０と同じであり、その作用効果も同じである。
【００７６】
この実施例１は、主に請求項１、２、３、６〜８、9の特徴を好適に実現するものである。
【実施例３】
【００７７】
図５は、本発明のメッシュラックの支持具の他例の要部詳細図である。
【００７８】
このメッシュラックの支持具１０Ｂは、図１の支持具１０に比べ、横筋嵌入部１Ａにおいて、図１の横筋嵌入部１とは異なり、その上下の腕部孔１ｃ、余肉部（腕部孔１ｃと開口側の一辺１ａで挟まれる部分）１ｄを同じ形状とし、双方の腕部孔１ｃとも一方がラック受けとして機能する時は他方が工具受けとして機能し、また、双方の余肉部１ｄとも、一方が係止維持片として機能する時は他方が工具当り片として機能するようにしたものである。
【００７９】
このようにすると、上下どちらの方向にでも使用でき、また、一方の余肉部１ｄの先端部分が疲労により欠損するようなことがあって係止維持片として機能し得ないようになっても、工具当り片としては機能し得る場合には、方向を変えて使用することができるようになる。
【００８０】
この図５の実施例３は、主に請求項１〜５の特徴を好適に実現するものである。
【実施例４】
【００８１】
図６は、本発明のメッシュラックの支持具の他例を概念的に示す斜視図である。
【００８２】
このメッシュラックの支持具１０Ｃは、図１の支持具１０に比べ、横筋嵌入部１，１Ａを列設する部分が、チャンネル形状の両側端ではなく、略Ｌ字形状のアングル２Ａの一辺端となっている点が異なっている。つまり、横筋嵌入部１，１Ａを列設するのは、二列だけに限らず、一列であってもよいということである。
【００８３】
このようにすると、支持具１０Ｃをより軽量化でき、安価とすることができる。また、二列に並ぶ場合に比べて、電線支持具ＭＢ（図３参照）を取り付ける位置の選択範囲が広くなる。
【００８４】
なお、この列数は、当然に３列以上の複数列であってもよい。
【００８５】
この図６の実施例４は、主に請求項１〜７の特徴を好適に実現するものである。
【実施例５】
【００８６】
図７は本発明のメッシュラックの支持具の他例を概念的に示す側面図である。
【００８７】
このメッシュラックの支持具１０Ｄは、図１の支持具１０と異なり、横筋嵌入部１Ｂが、メッシュラックＭの全ての隣同士で並んでいる横筋ＭＨに対応して設けられるのではなく、一つ跳びに対応して設けられているものである。これを実現するために、支持具１０Ｄのチャンネル２Ａの両側端２ａには、一つ跳びに切り欠き２ｃが設けられている。
【００８８】
このようにすると、例えば、横筋ＭＨの設置間隔が倍ピッチのものにも、倍ピッチでないもにも同じ支持具１０Ｃで対応することができる。また、この跳びは、一つおきに限定されるものではなく、必要に応じて、複数跳びとすることができるものである。
【実施例６】
【００８９】
図８は本発明のメッシュラックの支持具の他例を概念的に示す正面図である。
【００９０】
このメッシュラックの支持具１０Ｅは、図１の支持具１０と異なりチャンネルの両側端２ｄ間の間隔が、メッシュラックＭの縦筋ＭＶ間のピッチを超えて長くなっているものである。
【００９１】
このようにすると、メッシュラックＭの水平方向の長さが短い場合に、一つの支持具１０Ｅだけで、ひとつのメッシュラックＭを吊り下げ支持することができる。なお、この間隔は、必要に応じて適宜大小することができるものである。
【実施例７】
【００９２】
図９（ａ）は本発明のメッシュラックの支持具の他の実施例を示す上面図、（ｂ）は側面図、（ｃ）は正面図、（ｄ）は要部詳細図である。
【００９３】
この実施例において、メッシュラックの支持具１０自体は、図１の支持具１０と同じものであり、異なるのは、吊り下げ対象のメッシュラックＭＭが、図１のメッシュラックＭに比べ、横筋ＭＨが縦筋ＭＶに対して取付面ＭＡ側となっている点である。
【００９４】
この図に示すように、本発明の支持具１０は、メッシュラックの格子構造の横筋を巧みに利用したもので、このようなメッシュラックＭＭも吊り下げることができ、
上記に説明した横筋嵌入部１、１Ａ，１Ｂとこれを設ける足端部の組み合わせは、上記に限定されず、異なる組み合わせも可能であって、それぞれ同様の効果を発揮するものである。
【産業上の利用可能性】
【００９５】
本発明のメッシュラックの支持具は、壁などの鉛直な取付相手面や、スラブ下面などの水平な取付相手面にメッシュラックを吊り下げるのに好適に用いられる。
【図面の簡単な説明】
【００９６】
【図１】（ａ）は本発明のメッシュラックの支持具の一例を示す上面図、（ｂ）は側面図、（ｃ）は正面図
【図２】（ａ）〜（ｉ）は、図１のメッシュラックの支持具へのメッシュラックの取り付け、取り外し方法を説明する要部詳細図
【図３】図１のメッシュラックの支持具によって鉛直状態に吊り下げられたメッシュラックの使用状態を示す斜視図
【図４】（ａ）は本発明のメッシュラックの支持具の他例を示す上面図、（ｂ）は側面図、（ｃ）の正面図
【図５】本発明のメッシュラックの支持具の他例の要部詳細図
【図６】本発明のメッシュラックの支持具の他例を概念的に示す斜視図
【図７】発明のメッシュラックの支持具の他例を概念的に示す側面図
【図８】本発明のメッシュラックの支持具の他例を概念的に示す正面図
【図９】（ａ）は本発明のメッシュラックの支持具の他の実施例を示す上面図、（ｂ）は側面図、（ｃ）は正面図、（ｄ）は要部詳細図
【符号の説明】
【００９７】
１              横筋嵌入部
１ａ            平板の一辺（開口側の一辺）
１ｂ            足端
１ｃ            腕部孔
１ｄ            余肉部（腕部孔と開口側の一辺で挟まれる部分）
１ｅ            ラック受け
１ｅｇ          フック部
１ｆ            工具受け
１ｇ            係止維持片
１ｈ            工具当り片
２              チャンネル
２ａ            両側端
２ｂ            背部
３              取付穴
４              不係止部分
４ｂ            背部
１０              メッシュラックの支持具
Ｍ              メッシュラック
ＭＭ            メッシュラック
ＭＮ            メッシュラック
ＭＡ            取付面
ＭＶ            縦筋
ＭＨ            横筋
Ｔ              工具
【図１】
2005333764.tif 000003
【図２】
2005333764.tif 000004
【図３】
2005333764.tif 000005
【図４】
2005333764.tif 000006
【図５】
2005333764.tif 000007
【図６】
2005333764.tif 000008
【図７】
2005333764.tif 000009
【図８】
2005333764.tif 000010
【図９】
2005333764.tif 000011